(57)【要約】【課題】生産性の向上及び破損の抑制を図ることができる電池パックを提供する。【解決手段】電池パック１は、底壁１１と、底壁１１と対向する上壁１２と、底壁１１及び上壁１２を接続する側壁部１３と、を有する筐体１０と、筐体１０に取り付けられる被取付部材と、被取付部材を筐体１０に取り付ける取付部材と、を備えている。被取付部材は、筐体１０内に収容され、一方向に並んで筐体１０に取り付けられる２つの電池モジュール３０を有している。２つの電池モジュール３０の上下方向における間隔Ｌ１は、被取付部材及び取付部材の通過を阻止可能であるとともに、２つの電池モジュール３０の上下方向における最大変形量のうちいずれか大きい方よりも大きい。【選択図】図２
2018088360.tif 000002
【特許請求の範囲】
【請求項１】
底壁と、前記底壁と対向する上壁と、前記底壁及び前記上壁を接続する側壁部と、を有する筐体と、
前記筐体に取り付けられる被取付部材と、
前記被取付部材を前記筐体に取り付ける取付部材と、を備え、
前記被取付部材は、前記筐体内に収容され、一方向に並んで前記筐体に取り付けられる第１電池モジュール及び第２電池モジュールを有し、
前記第１電池モジュール及び前記第２電池モジュールの前記一方向における間隔は、前記被取付部材及び前記取付部材の通過を阻止可能であるとともに、前記第１電池モジュールの前記一方向における最大変形量及び前記第２電池モジュールの前記一方向における最大変形量のうちいずれか大きい方よりも大きい、電池パック。
【請求項２】
前記第１電池モジュール及び前記第２電池モジュールの前記一方向における間隔は、前記第１電池モジュールの前記一方向における最大変形量及び前記第２電池モジュールの前記一方向における最大変形量の和よりも大きい、請求項１に記載の電池パック。
【請求項３】
前記被取付部材は、前記第１電池モジュール及び前記第２電池モジュールを制御する制御部を更に有している、請求項１又は２に記載の電池パック。
【請求項４】
前記被取付部材は、前記第１電池モジュール及び前記第２電池モジュールに電気的に接続される端子部を更に有している、請求項１〜３のいずれか一項に記載の電池パック。
【請求項５】
前記側壁部は、前記第１電池モジュールが前記第１電池モジュールの前記一方向に交差する交差方向の端部において前記取付部材により取り付けられるとともに、前記第２電池モジュールが前記第２電池モジュールの前記交差方向の端部において前記取付部材により取り付けられる第１側壁を含む、請求項１〜４のいずれか一項に記載の電池パック。
【請求項６】
前記側壁部は、
前記第１電池モジュールが取り付けられる第１側壁と、
前記第１側壁と前記一方向で対向するとともに、前記第２電池モジュールが取り付けられる第２側壁と、を含む、請求項１〜４のいずれか一項に記載の電池パック。
【請求項７】
前記第１電池モジュールの前記一方向における最大変形量は、前記第１電池モジュールに前記一方向に５０Ｇの衝撃を与えたときの最大変形量であり、
前記第２電池モジュールの前記一方向における最大変形量は、前記第２電池モジュールに前記一方向に５０Ｇの衝撃を与えたときの最大変形量である、請求項１〜６のいずれか一項に記載の電池パック。
【請求項８】
底壁と、前記底壁と対向する上壁と、前記底壁及び前記上壁を接続する側壁部と、を有する筐体と、
前記筐体に取り付けられる被取付部材と、
前記被取付部材を前記筐体に取り付ける取付部材と、を備え、
前記被取付部材は、前記筐体内に収容され、前記筐体に取り付けられる電池モジュールを有し、
前記側壁部は、前記電池モジュールが取りつけられる第１側壁と、前記第１側壁と一方向で対向する第２側壁と、を含み、
前記電池モジュール及び前記第２側壁の前記一方向における間隔は、前記被取付部材及び前記取付部材の通過を阻止可能であるとともに、前記電池モジュールの前記一方向における最大変形量よりも大きい、電池パック。
【請求項９】
前記上壁には開口が設けられており、
前記被取付部材は、前記開口を塞ぐように前記上壁に取り付けられる蓋部材を更に有している、請求項１〜８のいずれか一項に記載の電池パック。
【発明の詳細な説明】
【技術分野】
【０００１】
本発明は、電池パックに関する。
【背景技術】
【０００２】
特許文献１には、筐体と、筐体内に収容された複数の電池モジュールと、を含む電池パックが開示されている。この電池パックでは、複数の電池モジュールがボルトにより筐体に取り付けられ、上下方向及び上下方向に交差する交差方向に並んで配置されている。電池パックの電池容量は、これらの複数の電池モジュールを並列接続することによって調整されている。
【先行技術文献】
【特許文献】
【０００３】
【特許文献１】特開２０１６−１５２２００号公報
【発明の概要】
【発明が解決しようとする課題】
【０００４】
上述のような電池パックでは、電池パックの組み付け時に、電池モジュール間の隙間及び電池モジュールと側壁との間の隙間にボルト等の部品が入り込む場合がある。この場合、入り込んだ部品を通じて短絡が生じるおそれがあるので、この部品の除去が必要となる。しかしながら、そのためには、筐体に取り付けられた電池モジュールを一旦取り外さなければならない場合がある。これにより、電池パックの生産性が低下するおそれがある。
【０００５】
一方、電池パックに振動及び衝撃などの負荷がかかった場合、電池モジュールの変形により電池モジュール同士が接触したり、電池モジュールが側壁と接触したりすることにより、電池パックが破損するおそれがある。
【０００６】
そこで、本発明は、生産性の向上及び破損の抑制を図ることができる電池パックを提供することを目的とする。
【課題を解決するための手段】
【０００７】
本発明の一側面に係る電池パックは、底壁と、底壁と対向する上壁と、底壁及び上壁を接続する側壁部と、を有する筐体と、筐体に取り付けられる被取付部材と、被取付部材を筐体に取り付ける取付部材と、を備え、被取付部材は、筐体内に収容され、一方向に並んで筐体に取り付けられる第１電池モジュール及び第２電池モジュールを有し、第１電池モジュール及び第２電池モジュールの一方向における間隔は、被取付部材及び取付部材の通過を阻止可能であるとともに、第１電池モジュールの一方向における最大変形量及び第２電池モジュールの一方向における最大変形量のうちいずれか大きい方よりも大きい。
【０００８】
この電池パックでは、第１電池モジュール及び第２電池モジュールの一方向における間隔は、被取付部材及び取付部材の通過を阻止可能である。したがって、例えば、電池パックの組み付け時に、作業者がこれらの部材を誤って落下させたとしても、これらの部材が第１電池モジュール及び第２電池モジュール間に入り込むことが抑制される。これにより、第１電池モジュール及び第２電池モジュール間に入り込んだ部材の除去のために、筐体に取り付けられた第１電池モジュール及び第２電池モジュールを一旦取り外す必要がないので、電池パックの生産性の向上を図ることができる。また、この間隔は、第１電池モジュールの一方向における最大変形量及び第２電池モジュールの一方向における最大変形量のうちいずれか大きい方よりも大きい。したがって、例えば、衝撃により第１電池モジュール及び第２電池モジュールが変形したとしても、第１電池モジュール及び第２電池モジュールが互いに接触する可能性が低減される。これにより、電池パック、具体的には、第１電池モジュール及び第２電池モジュールの破損が抑制される。
【０００９】
本発明の一側面に係る電池パックにおいては、第１電池モジュール及び第２電池モジュールの一方向における間隔は、第１電池モジュールの一方向における最大変形量及び第２電池モジュールの一方向における最大変形量の和よりも大きくてもよい。この場合、例えば、衝撃により第１電池モジュール及び第２電池モジュールが互いに近づく方向に変形したとしても、第１電池モジュール及び第２電池モジュールが互いに接触することが抑制される。これにより、電池パックの破損が更に抑制される。
【００１０】
本発明の一側面に係る電池パックにおいては、被取付部材は、第１電池モジュール及び第２電池モジュールを制御する制御部を更に有していてもよい。この場合、制御部及び制御部に用いられる取付部材についても、第１電池モジュール及び第２電池モジュールの間に入り込むことが抑制される。
【００１１】
本発明の一側面に係る電池パックにおいては、被取付部材は、第１電池モジュール及び第２電池モジュールに電気的に接続される端子部を更に有していてもよい。この場合、端子部及び端子部に用いられる取付部材についても、第１電池モジュール及び第２電池モジュールの間に入り込むことが抑制される。
【００１２】
本発明の一側面に係る電池パックにおいては、側壁部は、第１電池モジュールが取り付けられる第１側壁と、第１側壁と一方向で対向するとともに、第２電池モジュールが取り付けられる第２側壁と、を含んでいてもよい。この場合、互いに対向する第１側壁及び第２側壁にそれぞれ第１電池モジュール及び第２電池モジュールが取り付けられる。このような構成においても、被取付部材及びその取付部材が、第１電池モジュールと第２電池モジュールとの間の隙間に入り込むことを抑制可能となる。この結果、生産性の向上を図ることができる。
【００１３】
本発明の一側面に係る電池パックにおいては、側壁部は、第１電池モジュールが第１電池モジュールの一方向に交差する交差方向の端部において取付部材により取り付けられるとともに、第２電池モジュールが第２電池モジュールの交差方向の端部において取付部材により取り付けられる第１側壁を含んでいてもよい。この場合、第１電池モジュール及び第２電池モジュールは、交差方向の端部において取り付けられている。このような構成においても、被取付部材及びその取付部材が、第１電池モジュールと第２電池モジュールとの間の隙間に入り込むことを抑制可能となる。この結果、生産性の向上を図ることができる。
【００１４】
本発明の一側面に係る電池パックにおいては、第１電池モジュールの一方向における最大変形量は、第１電池モジュールに一方向に５０Ｇの衝撃を与えたときの最大変形量であってもよく、第２電池モジュールの一方向における最大変形量は、第２電池モジュールに一方向に５０Ｇの衝撃を与えたときの最大変形量であってもよい。この場合、破損を確実に抑制することができる。
【００１５】
本発明の一側面に係る電池パックは、底壁と、底壁と対向する上壁と、底壁及び上壁を接続する側壁部と、を有する筐体と、筐体に取り付けられる被取付部材と、被取付部材を筐体に取り付ける取付部材と、を備え、被取付部材は、筐体内に収容され、筐体に取り付けられる電池モジュールを有し、側壁部は、電池モジュールが取りつけられる第１側壁と、第１側壁と一方向で対向する第２側壁と、を含み、電池モジュール及び第２側壁の一方向における間隔は、被取付部材及び取付部材の通過を阻止可能であるとともに、電池モジュールの一方向における最大変形量よりも大きい。
【００１６】
この電池パックでは、電池モジュール及び第２側壁の一方向における間隔は、被取付部材及び取付部材の通過を阻止可能である。したがって、例えば、電池パックの組み付け時に、作業者がこれらの部材を誤って落下させたとしても、これらの部材が電池モジュール及び第２側壁間に入り込むことが抑制される。これにより、電池モジュール及び第２側壁間に入り込んだ部材の除去のために、筐体に取り付けられた電池モジュールを一旦取り外す必要がないので、電池パックの生産性の向上を図ることができる。また、この間隔は、電池モジュールの一方向における最大変形量よりも大きい。したがって、例えば、衝撃により電池モジュールが変形したとしても、電池モジュール及び第２側壁が互いに接触することが抑制される。これにより、電池パック、具体的には、電池モジュール及び第２側壁の破損が抑制される。
【００１７】
本発明の一側面に係る電池パックにおいては、上壁には開口が設けられており、被取付部材は、開口を塞ぐように上壁に取り付けられる蓋部材を更に有していてもよい。この場合、上壁に開口が設けられているので、例えば、電池パックの組み付け後でも、開口を通じて、筐体の内部の部品に対する処理が行われることがある。また、被取付部材には蓋部材が含まれ、第１電池モジュール及び第２電池モジュールの一方向における間隔、又は電池モジュール及び第２側壁の一方向における間隔は、蓋部材及び蓋部材を取り付ける取付部材についても、通過を阻止可能である。したがって、例えば、電池パックの組み付け時に、作業者がこの取付部材を誤って落下させたとしても、この取付部材が第１電池モジュール及び第２電池モジュールの間、又は電池モジュール及び第２側壁の間に入り込むことが抑制される。
【発明の効果】
【００１８】
本発明によれば、生産性の向上及び破損の抑制を図ることができる電池パックを提供することができる。
【図面の簡単な説明】
【００１９】
【図１】実施形態に係る電池パックの一部を分解して示す斜視図である。
【図２】図１の電池パックの内部構成について説明するための図である。
【図３】図１の電池パックの内部構成について説明するための図である。
【図４】電池モジュールの構成を示す斜視図である。
【図５】図１のＶ−Ｖ線に沿っての断面図である。
【図６】制御部について説明するための分解斜視図である。
【図７】図１の電池パックを拡大して示す上面図である。
【図８】変形例に係る電池パックの断面図である。
【発明を実施するための形態】
【００２０】
以下、添付図面を参照しながら本発明の実施形態が詳細に説明される。図面の説明において、同一または同等の要素には同一符号が用いられ、重複する説明は省略される。
【００２１】
図１は、実施形態に係る電池パックの一部を分解して示す斜視図である。図１に示されるように、電池パック１は、筐体１０と、蓋部材２０と、複数のボルトＢ１とを備えている。電池パック１は、例えばフォークリフト等の車両のバッテリーとして用いられる装置である。電池パック１は、所定のバッテリー収容部に収容される。なお、図１では、後述する制御部４５及びブラケット４７等の図示が省略されている。
【００２２】
筐体１０は、矩形箱状を呈している。筐体１０は、矩形板状の底壁１１と、底壁１１と対向する上壁１２と、底壁１１及び上壁１２を接続する側壁部１３と、を有している。側壁部１３は、前壁１４と、後壁１５と、電池モジュール３０が取り付けられる一対の側壁１６，１７と、を含んでいる。前壁１４と後壁１５とは互いに対向している。一対の側壁１６，１７は互いに対向している。以下の説明では、底壁１１及び上壁１２の対向方向を上下方向、前壁１４及び後壁１５の対向方向を前後方向ともいう。上下方向及び前後方向は互いに交差（ここでは、直交）している。
【００２３】
底壁１１と、上壁１２と、前壁１４と、後壁１５と、一対の側壁１６，１７とは、溶接又はボルト（不図示）による締結により一体化されている。ここでは、側壁１７は、底壁１１、上壁１２、前壁１４、及び後壁１５の側壁１７側の端部に、ボルト（不図示）で取り付けられている。
【００２４】
上壁１２には、一対の開口１２ａが設けられている。一対の開口１２ａを介して、作業者は筐体１０の内部の部品等を取り付けたり、取り外したりし得る。一対の開口１２ａは、矩形状を呈し、一対の側壁１６，１７の対向方向（以下、単に「対向方向」ともいう）に並設されている。上壁１２には、開口１２ａの周縁に複数のネジ孔１２ｂが設けられている。ネジ孔１２ｂは、上壁１２の厚さ方向に上壁１２を貫通している。
【００２５】
蓋部材２０は、矩形板状を呈している。蓋部材２０は、開口１２ａを塞ぐように上壁１２に取り付けられる。蓋部材２０には、複数のネジ孔１２ｂに対応して複数の挿通孔２０ａが設けられている。挿通孔２０ａは、蓋部材２０の厚さ方向に蓋部材２０を貫通している。蓋部材２０は、挿通孔２０ａに挿通されたボルトＢ１がネジ孔１２ｂに螺合されることにより、上壁１２に取り付けられる。すなわち、蓋部材２０は、筐体１０に取り付けられる被取付部材（以下、単に「被取付部材」ともいう）であり、ボルトＢ１は被取付部材を筐体１０に取り付ける取付部材（以下、単に「取付部材」ともいう）である。
【００２６】
図２及び図３は、図１の電池パックの筐体内部について説明するための図である。図２では、側壁１７及び蓋部材２０が取り外された状態の電池パック１が示されている。図３では、電池パック１から取り外された状態の側壁１７が示されている。図２及び図３に示されるように、電池パック１は、複数（ここでは、７つ）の電池モジュール３０と、リレー４０と、制御部４５と、端子部５０と、ボルトＢ２と、ボルトＢ３と、ボルトＢ４（図６参照）と、ボルトＢ５（図７参照）とを備えている。
【００２７】
図４は、電池モジュールの構成を示す斜視図である。図４に示されるように、電池モジュール３０は、配列体２と、一対のブラケット３１，３２と、カバー３３と、制御装置３４と、一対のモジュール端子ＭＴ１，ＭＴ２とを有している。
【００２８】
配列体２は、配列された複数（ここでは、１３個）の電池セル（不図示）と、弾性部材４と、複数のセルホルダ５と、を含んでいる。電池セルは、例えば、リチウムイオン電池又はニッケル水素電池等の二次電池である。セルホルダ５は、複数の電池セルのそれぞれを保持する。セルホルダ５は、複数の電池セルの配列方向（交差方向）（以下、単に「配列方向」ともいう）から見てＵ字状を呈する枠体であり、互いに対向する一対の側部５ａ，５ｂと、一対の側部５ａ，５ｂを互いに接続する底部（不図示）と、を有している。
【００２９】
弾性部材４は、複数の電池セルのうち配列方向の一方の端部に配置された電池セルと、ブラケット３１との間に設けられている。弾性部材４は、複数の電池セルの膨張を吸収するための部材であって、ゴム及び樹脂系のスポンジなどの弾性変形可能な材料により構成されている。弾性部材４は、その厚さ方向が配列方向と一致するように設けられている。弾性部材４と電池セルとの間には、固定プレート６が設けられている。
【００３０】
一対のブラケット３１，３２は、剛性の高い材料で構成されている。一対のブラケット３１，３２を構成する材料として、例えば鉄等の金属が挙げられる。一対のブラケット３１，３２はそれぞれ、Ｌ字状のプレートであって、把持部３５と、取付部３６と、を有している。
【００３１】
把持部３５は、略矩形の平板である。把持部３５には、配列方向に沿って延びる複数のボルト３７が挿通されている。ボルト３７は、ブラケット３２の把持部３５から、配列体２を経由してブラケット３１の把持部３５まで延びている。ボルト３７は、ブラケット３１の把持部３５の外側でナット（不図示）に螺合されている。これにより、一対の把持部３５は、互いに連結されて、配列体２に所定の拘束荷重を付加している。
【００３２】
取付部３６は、略矩形の把持部３５の一辺に立設された平板であり、配列体２と反対側に延在している。取付部３６には、側壁１６に設けられた複数のネジ穴１６ａ（図５参照）又は側壁１７に設けられた複数のネジ穴１７ａ（図５参照）に対応して、複数の挿通孔３６ａが設けられている。挿通孔３６ａは、取付部３６の厚さ方向に沿って取付部３６を貫通している。
【００３３】
カバー３３は、複数のセルホルダ５の上端開口を塞ぐように、複数のセルホルダ５に保持されている。カバー３３は、複数の電池モジュール３０が上下に配列される場合において、下側に位置する電池モジュール３０と、上側に位置する電池モジュール３０との電気的絶縁を図る役割、及び異常時に電池セルから吐出されるガスが上方に吹き出すことを阻止する機能を有している。
【００３４】
制御装置３４は、電池モジュール３０に関する各種制御を行う装置である。制御装置３４は、カバー３３の上に載置されている。
【００３５】
モジュール端子ＭＴ１は、カバー３３のブラケット３１側に設けられ、モジュール端子ＭＴ２は、カバー３３のブラケット３２側に設けられている。一対のモジュール端子ＭＴ１，ＭＴ２は、配列方向の両端に設けられている。一対のモジュール端子ＭＴ１，ＭＴ２のうち一方が電池モジュール３０の正極として機能し、他方が電池モジュール３０の負極として機能する。
【００３６】
図２及び図３に示されるように、複数の電池モジュール３０は、配列方向の端部でボルトＢ２により一対の側壁１６，１７に取り付けられて、筐体１０に収容されている。すなわち、電池モジュール３０は被取付部材であり、ボルトＢ２は取付部材である。具体的には、３つの電池モジュール３０が上下方向及び前後方向に並んで側壁１６（第１側壁）に取り付けられ、４つの電池モジュール３０が上下方向及び前後方向に並んで側壁１７（第２側壁）に取り付けられている。電池モジュール３０は、側部５ｂ（図４参照）を側壁１６又は側壁１７に対向させた状態で、挿通孔３６ａ（図４参照）に挿通されたボルトＢ２がネジ穴１６ａ又はネジ穴１７ａ（図５参照）に螺合されることにより、側壁１６又は側壁１７に取り付けられている。ここでは、配列方向は上下方向に交差する方向であって、前後方向に一致している。
【００３７】
図５は、図１のＶ−Ｖ線に沿っての断面図である。すなわち、図５は、図１の電池パック１を底壁１１に平行な面で切断した場合の断面構造を示す図である。図５に示されるように、電池パック１において、電池モジュール３０は、一対の側壁１６，１７の対向方向にも並んで配置されている。
【００３８】
図２に示されるリレー４０は、充電用のリレーであって、複数（ここでは、３つ）のボルトＢ３により側壁１６に取り付けられて、筐体１０に収容されている。リレー４０は、上壁１２と前壁１４とのなす角部に取り付けられている。すなわち、リレー４０は被取付部材であり、ボルトＢ３は取付部材である。リレー４０は、側壁１６に垂直な方向から見て、矩形状を呈し、４つの角部のうち３つにボルトＢ３が設けられている。ボルトＢ３は、例えば、頭部に六角形状の凹部を有するボルトである。
【００３９】
図６は、制御部について説明するための分解斜視図である。図６では、蓋部材２０及びボルトＢ１の図示が省略されている。図２及び図６に示される制御部４５は、複数の電池モジュール３０を制御する装置である。制御部４５は、蓋部材２０（図１参照）と後述の集合端子５３（図３参照）との間に配置されている。制御部４５は、例えば通信用のケーブル（不図示）により各電池モジュール３０の制御装置３４（図４参照）と電気的に接続されている。制御部４５は、ボルトＢ４によって筐体１０に取り付けられている。すなわち、制御部４５は被取付部材であり、ボルトＢ４は取付部材である。
【００４０】
制御部４５は、矩形箱状を呈している。制御部４５は、制御部４５の下端から制御部４５の外側に向かって突出する一対の板４６を有している。一方の板４６は、前壁１４に向かって突出し、他方の板４６は後壁１５に向かって突出している。各板４６には、ボルトＢ４を上下方向に挿通させる複数の挿通孔４６ａが設けられている。
【００４１】
制御部４５は、具体的には上壁１２に取り付けられている。上壁１２は、側壁１７側の開口１２ａに対向方向に架け渡された一対のブラケット４７を含んでいる。一対のブラケット４７は、一対の板４６に対応して、前後方向に並んで設けられている。一対のブラケット４７には、複数の挿通孔４６ａに対応して、複数の挿通孔４７ａが設けられている。ボルトＢ４が挿通孔４６ａ及び挿通孔４７ａに順次挿通された後、ブラケット４７の下面に溶接で取り付けられたナットに螺合されることにより、制御部４５が上壁１２に取り付けられている。
【００４２】
図７は、図１の電池パックを拡大して示す上面図である。図７では、蓋部材２０、ボルトＢ１、制御部４５、ブラケット４７、ボルトＢ４及びネジ孔１２ｂの図示が省略されている。図２、図３、及び図７に示されるように、端子部５０は、集合端子５１、集合端子５３、及びバスバー５５を有している。
【００４３】
集合端子５１は、側壁１６に取り付けられた３つの電池モジュール３０と電力用のケーブルＣによって並列に接続されている。集合端子５１は、正極集合端子５１ａと、負極集合端子５１ｂと、ボルト５１ｃと、樹脂製の柱状部材５１ｄと、を有している。正極集合端子５１ａ及び負極集合端子５１ｂは、導電性の金属により構成された板状部材である。正極集合端子５１ａには、電池モジュール３０の一対のモジュール端子ＭＴ１，ＭＴ２のうち一方に接続されたケーブルＣの端子がボルト５１ｃによって固定されている。負極集合端子５１ｂには、電池モジュール３０の一対のモジュール端子ＭＴ１，ＭＴ２のうち他方に接続されたケーブルＣの端子がボルト５１ｃによって固定されている。
【００４４】
集合端子５３は、側壁１７に取り付けられた４つの電池モジュール３０と電力用のケーブルＣによって並列に接続されている。集合端子５３は、正極集合端子５３ａと、負極集合端子５３ｂと、ボルト５３ｃと、樹脂製の柱状部材５３ｄと、を有している。正極集合端子５３ａ及び負極集合端子５３ｂは、導電性の金属により構成された板状部材である。正極集合端子５３ａには、電池モジュール３０の一対のモジュール端子ＭＴ１，ＭＴ２のうち一方に接続されたケーブルＣの端子がボルト５３ｃによって固定されている。負極集合端子５３ｂには、電池モジュール３０の一対のモジュール端子ＭＴ１，ＭＴ２のうち一方に接続されたケーブルＣの端子がボルト５３ｃによって固定されている。
【００４５】
側壁１６は、電池モジュール３０の上方に底壁１１に対して平行に設けられた仕切板１６ｂを有している。正極集合端子５１ａ及び負極集合端子５１ｂは、柱状部材５１ｄを介して、仕切板１６ｂ上にボルトＢ５によって取り付けられている。側壁１７は、電池モジュール３０の上方に底壁１１に対して平行に設けられた仕切板１７ｂを有している。正極集合端子５３ａ及び負極集合端子５３ｂは、柱状部材５３ｄを介して、仕切板１７ｂ上にボルトＢ５によって取り付けられている。すなわち、端子部５０は被取付部材であり、ボルトＢ５は取付部材である。
【００４６】
集合端子５１と集合端子５３とはバスバー５５により接続されている。バスバー５５は、導電性の金属により構成された板状部材である。具体的には、バスバー５５は、正極集合端子５１ａと正極集合端子５３ａとを接続するバスバー５５ａと、負極集合端子５１ｂと負極集合端子５３ｂとを接続するバスバー５５ｂとを含んでいる。バスバー５５ａは、正極集合端子５１ａと一体的に形成されている。バスバー５５ｂは、負極集合端子５１ｂ及び負極集合端子５３ｂと一体的に形成されている。複数の電池モジュール３０からの電力は、集合端子５１，５３及びバスバー５５を介して集約されて外部装置（図示せず）に出力される。外部装置は、例えば、電池パック１が搭載されるフォークリフトにおける各種装置である。
【００４７】
電池パック１の組み付け時には、例えば、まず、底壁１１、上壁１２、前壁１４、及び後壁１５の側壁１７側の端部に、側壁１７を取り付ける前の状態で、側壁１６に電池モジュール３０、リレー４０、及び集合端子５１を取り付けるとともに、側壁１７に電池モジュール３０及び集合端子５３を取り付ける。その後、底壁１１、上壁１２、前壁１４、及び後壁１５の側壁１７側の端部に、側壁１７を取り付けて、筐体１０を一体化する。続いて、開口１２ａを介してバスバー５５により集合端子５１と集合端子５３とを接続する。次に、制御部４５を上壁１２のブラケット４７に取り付ける。最後に、蓋部材２０を上壁１２に取り付ける。これにより、電池パック１が製造される。
【００４８】
電池パック１は、被取付部材として、蓋部材２０、電池モジュール３０、リレー４０、制御部４５、及び端子部５０を備えるとともに、取付部材として、ボルトＢ１〜Ｂ５を備えている。電池パック１では、上下方向に並んで筐体１０に取り付けられる隣り合う２つの電池モジュール３０（第１電池モジュール及び第２電池モジュール）の上下方向（一方向）の間隔Ｌ１は、これらの被取付部材及び取付部材の通過を阻止可能であるとともに、上下方向で隣り合う２つの電池モジュール３０の上下方向における最大変形量のうちいずれか大きい方よりも大きくなるように設定されている。本実施形態では、間隔Ｌ１は、上下方向で隣り合う２つの電池モジュール３０の上下方向における最大変形量の和よりも大きくなるように設定されている。なお、間隔Ｌ１は、電池モジュール３０が変形していない状態で規定される。
【００４９】
また、対向方向に並んで筐体１０に取り付けられる隣り合う２つの電池モジュール３０（第１電池モジュール及び第２電池モジュール）の対向方向（一方向）の間隔Ｌ２は、これらの被取付部材及び取付部材の通過を阻止可能であるとともに、対向方向で隣り合う２つの電池モジュール３０の対向方向における最大変形量のうちいずれか大きい方よりも大きくなるように設定されている。本実施形態では、間隔Ｌ２は、対向方向で隣り合う２つの電池モジュール３０の対向方向における最大変形量の和よりも大きくなるように設定されている。なお、間隔Ｌ２は、電池モジュール３０が変形していない状態で規定される。
【００５０】
間隔Ｌ１及び間隔Ｌ２が被取付部材及び取付部材の通過を阻止可能であるとは、間隔Ｌ１及び間隔Ｌ２が被取付部材及び取付部材のあらゆる方向における幅（つまり、最小の幅）よりも短いことを意味する。例えば、各ボルトＢ１〜Ｂ５の場合は、各ボルトＢ１〜Ｂ５の軸方向の幅及び軸方向に交差する方向の幅がいずれも間隔Ｌ１及び間隔Ｌ２よりも長くなっている。
【００５１】
上下方向で隣り合う２つの電池モジュール３０の上下方向における最大変形量とは、これらの電池モジュール３０に上下方向に衝撃を与えたときの上下方向の最大変形量である。また、対向方向で隣り合う２つの電池モジュール３０の対向方向における最大変形量とは、これらの電池モジュール３０に対向方向に衝撃を与えたときの対向方向の最大変形量である。通常は、電池モジュール３０の配列方向の中央部が最も変形し易いため、当該中央部の変形量が最大変形量となる。
【００５２】
電池モジュール３０に与えられる衝撃とは、例えば、国際連合危険物輸送勧告（Recommendations  on  the  TRANSPORT  OF  DANGEROUS  GOODS,  Manual  of  Tests  and  Criteria,  Fifth  revised  edition,  Amendment  1,  UNITED  NATIONS  New  York  and  Geneva,  2011）のような衝撃に関する法規を満足する衝撃である。
【００５３】
この国際連合危険物輸送勧告の第４９頁の「38.3.4.4  Test  T.4.:Shock」では、電池モジュール等のバッテリーが満足すべき衝撃の値は、大型のもの（Ｌａｒｇｅ  ｂａｔｔｅｒｉｅｓ）については最大加速度５０ｇｎ（ｇｎ：標準重力加速度（Ｇ））の正弦半波パルス（パルス幅１１ミリ秒）であり、大型でないものについては最大加速度１５０ｇｎの正弦半波パルス（パルス幅６ミリ秒）であると定められている。なお、第４４頁では、大型のバッテリーとは、総質量が１２ｋｇを超えるものであると定義されている。したがって、上下方向で隣り合う２つの電池モジュール３０の上下方向における最大変形量とは、これらの電池モジュール３０に上下方向に、例えば５０Ｇの衝撃を与えたときの最大変形量である。また、対向方向で隣り合う２つの電池モジュール３０の対向方向における最大変形量とは、これらの電池モジュール３０に対向方向に、例えば５０Ｇの衝撃を与えたときの最大変形量である。
【００５４】
電池パック１では、間隔Ｌ１及び間隔Ｌ２が被取付部材及び取付部材の通過を阻止可能に設定されている。したがって、例えば、電池パック１の組み付け時に、作業者がこれらの部材を誤って落下させたとしても、これらの部材が２つの電池モジュール３０間に入り込むことが抑制される。これにより、２つの電池モジュール３０間に入り込んだ部材の除去のために、筐体１０に取り付けられた電池モジュール３０を一旦取り外す必要がないので、電池パック１の生産性の向上を図ることができる。また、間隔Ｌ１は、上下方向で隣り合う２つの電池モジュール３０の上下方向における最大変形量のうちいずれか大きい方よりも大きい。したがって、例えば、衝撃により上下方向で隣り合う２つの電池モジュール３０が変形したとしても、上下方向で隣り合う２つの電池モジュール３０が互いに接触する可能性が低減される。同様に、間隔Ｌ２は、対向方向で隣り合う２つの電池モジュール３０の対向方向における最大変形量のうちいずれか大きい方よりも大きい。したがって、例えば、衝撃により対向方向で隣り合う２つの電池モジュール３０が変形したとしても、対向方向で隣り合う２つの電池モジュール３０が互いに接触する可能性が低減される。これにより、電池パック１、具体的には電池モジュール３０の破損が抑制される。
【００５５】
電池パック１では、間隔Ｌ１は、上下方向で隣り合う２つの電池モジュール３０の上下方向における最大変形量の和よりも大きい。したがって、例えば、衝撃により上下方向で隣り合う２つの電池モジュール３０が互いに近づく方向に変形したとしても、これら２つの電池モジュール３０が互いに接触することが抑制される。これにより、電池パック１の破損が更に抑制される。また、間隔Ｌ２は、対向方向で隣り合う２つの電池モジュール３０の対向方向における最大変形量の和よりも大きい。したがって、例えば、衝撃により対向方向で隣り合う２つの電池モジュール３０が互いに近づく方向に変形したとしても、これら２つの電池モジュール３０が互いに接触することが抑制される。これにより、電池パック１の破損が更に抑制される。
【００５６】
電池パック１では、電池モジュール３０の配列方向の端部には、ブラケット３１，３２が配置されている。このため、配列方向で隣り合う２つの電池モジュール３０の配列方向には、２つの把持部３５によって空間が形成される。この２つの把持部３５間の距離は、間隔Ｌ１及び間隔Ｌ２に比べて長い。したがって、電池パック１の組み付け時に、配列方向で隣り合う２つの電池モジュール３０の間に電池パック１の被取付部材及び取付部材が入り込んだとしても、作業者が手で簡単に取り除くことができる。
【００５７】
電池パック１では、一対の開口１２ａが上壁１２に設けられている。したがって、例えば、電池パック１の組み付け後でも、開口１２ａを通じて、筐体１０の内部の部品に対する処理（取り付け、取り外し、及び交換など）が行われることがある。また、被取付部材には蓋部材２０が含まれ、間隔Ｌ１及び間隔Ｌ２は、蓋部材２０及び蓋部材２０を取り付けるボルトＢ１についても、通過を阻止可能な間隔に設定されている。したがって、蓋部材２０及びボルトＢ１が上下方向又は対向方向で隣り合う２つの電池モジュール３０の間に入り込むことが抑制される。
【００５８】
被取付部材は、制御部４５及び端子部５０を含んでいる。したがって、制御部４５及び端子部５０と、制御部４５及び端子部５０を筐体１０に取り付けるために用いられるボルトＢ４及びボルトＢ５といった取付部材とについても、上下方向又は対向方向で隣り合う２つの電池モジュール３０の間に入り込むことが抑制される。
【００５９】
本発明は上記実施形態に限定されず、各請求項に記載した要旨を変更しない範囲で変形してもよい。
【００６０】
図８は、変形例に係る電池パックの断面図である。図８に示されるように、電池パック１Ａは、電池モジュール３０が側壁１６に取り付けられ、側壁１７に取り付けられていない点で、電池パック１と主に相違している。電池パック１Ａでは、電池モジュール３０、及び側壁１７の対向方向（一方向）の間隔Ｌ３は、被取付部材及び取付部材の通過を阻止可能であるとともに、電池モジュール３０の対向方向における最大変形量よりも大きくなるように設定されている。なお、間隔Ｌ１は、電池モジュール３０が変形していない状態で規定される。
【００６１】
このような電池パック１Ａによれば、例えば、電池パック１Ａの組み付け時に、作業者がこれらの部材を誤って落下させたとしても、これらの部材が電池モジュール３０及び側壁１７に入り込むことが抑制される。これにより、電池モジュール３０及び側壁１７間に入り込んだ部材の除去のために、筐体１０に取り付けられた電池モジュール３０を一旦取り外す必要がないので、電池パック１Ａの生産性の向上を図ることができる。また、この間隔Ｌ３は、電池モジュール３０の対向方向における最大変形量よりも大きい。したがって、例えば、衝撃により電池モジュール３０が変形したとしても、電池モジュール３０及び側壁１７が互いに接触することが抑制される。これにより、電池パック１Ａ、具体的には、電池モジュール３０及び側壁１７の破損が抑制される。
【００６２】
電池パック１では、間隔Ｌ１及び間隔Ｌ２の少なくとも一方が被取付部材及び取付部材の通過を阻止可能に設定されていればよい。電池パック１では、被取付部材は、少なくとも２つの電池モジュール３０を有していればよく、取付部材は、少なくともボルトＢ２を有していればよい。電池パック１Ａでは、被取付部材は、少なくとも１つの電池モジュール３０を有していればよく、取付部材は、少なくともボルトＢ２を有していればよい。
【００６３】
電池パック１及び電池パック１Ａでは、電池モジュール３０は、ブラケット３１，３２の代わりに、配列体２の上下方向の両端で筐体１０に取り付けられていてもよい。この場合、配列方向に並んで筐体１０に取り付けられる隣り合う２つの電池モジュール３０の配列方向の間隔は、被取付部材及び取付部材の通過を阻止可能であるとともに、配列方向で隣り合う２つの電池モジュール３０の配列方向における最大変形量のうちいずれか大きい方よりも大きくなるように設定されていてもよいし、配列方向で隣り合う２つの電池モジュール３０の配列方向における最大変形量の和よりも大きくなるように設定されていてもよい。
【００６４】
電池パック１では、上述のように、一対の側壁１６，１７に電池モジュール３０等の被取付部材を取り付けてから、底壁１１、上壁１２、前壁１４、及び後壁１５の側壁１７側の端部に、側壁１７を取り付ける場合、側壁１７の取り付け前は、電池モジュール３０は対向方向に対向していない。つまり、電池モジュール３０の対向方向の隙間は形成されていない。電池モジュール３０等の被取付部材及び取付部材については、側壁１７の取り付け前（筐体１０を一体化する前）に、一対の側壁１６，１７に取り付けられるので、当然のことながら、電池モジュール３０の対向方向の隙間に入り込むことはない。このような被取付部材及び取付部材としては、例えば、ボルトＢ２，Ｂ３，Ｂ５等が挙げられる。このため、側壁１７の取り付け前に、側壁１６又は側壁１７に取り付けられる被取付部材及び取付部材について考慮することなく、間隔Ｌ２は設定されてもよい。
【００６５】
電池パック１Ａでは、側壁１６に電池モジュール３０等の被取付部材を取り付けてから、底壁１１、上壁１２、前壁１４、及び後壁１５の側壁１７側の端部に、側壁１７を取り付ける場合、側壁１７の取り付け前は、電池モジュール３０は側壁１７と対向していない。つまり、電池モジュール３０及び側壁１７の対向方向の隙間は形成されていない。電池モジュール３０等の被取付部材及び取付部材については、側壁１７の取り付け前（筐体１０を一体化する前）に、側壁１６に取り付けられるので、当然のことながら、電池モジュール３０及び側壁１７の対向方向の隙間に入り込むことはない。このような被取付部材及び取付部材としては、例えば、ボルトＢ２，Ｂ３，Ｂ５等が挙げられる。このため、側壁１７の取り付け前に、側壁１６又は側壁１７に取り付けられる被取付部材及び取付部材について考慮することなく、間隔Ｌ３は設定されてもよい。
【符号の説明】
【００６６】
１，１Ａ…電池パック、１０…筐体、１１…底壁、１２…上壁、１２ａ…開口、１３…側壁部、１６，１７…側壁、２０…蓋部材、３０…電池モジュール、４５…制御部、５０…端子部、Ｂ１〜Ｂ５…ボルト。
【図１】
2018088360.tif 000003
【図２】
2018088360.tif 000004
【図３】
2018088360.tif 000005
【図４】
2018088360.tif 000006
【図５】
2018088360.tif 000007
【図６】
2018088360.tif 000008
【図７】
2018088360.tif 000009
【図８】
2018088360.tif 000010